(57)【要約】【課題】ハムスターなどの小動物や犬や猫が涼む習性に合わせた、寝そべって身体を冷やすことができる熱伝導板を備えた冷暖房装置。【解決手段】ペットの巣箱や飼育ケースの底面全体あるいは一部に当接させ、該当接された床面を熱伝導で熱を伝導させることができる、あるいは犬や猫が寝そべる熱伝導板と、この熱伝導板に吸熱側を取り付けたぺルチェ素子と、このぺルチェ素子の放熱側に取り付けた放熱板と、前記ぺルチェ素子の駆動装置とからなることを特徴とする犬や猫の冷暖房装置であり、少なくとも電源部を、前記冷暖房装置の本体に搭載しないで別に設け、前記駆動装置と前記冷暖房装置の本体の間は低電圧少電流のＤＣコードで接続して冷暖房装置本体には１００Ｖを流さないことで、犬や猫の齧りやいたずらや汚しなどによる感電事故の防止策とした冷暖房装置。【選択図】図１
2009291165.tif 000002
【特許請求の範囲】
【請求項１】
ペットの巣箱や飼育ケースの底面全体あるいは一部に当接させ、該当接された床面を熱伝導で熱を伝導させることができる、あるいはペットの犬や猫がねそべることができる熱伝導板と、この熱伝導板に吸熱側を取り付けたぺルチェ素子と、このぺルチェ素子の放熱側に取り付けた放熱板と、前記ぺルチェ素子の駆動装置とからなることを特徴とするペット用冷暖房装置。
【請求項２】
ぺルチェ素子の駆動装置の少なくとも電源部を寝ている犬や猫から隔離するために前記冷暖房装置本体に搭載しないで別に設けて、前記冷暖房装置本体には低電圧少電流のＤＣコードを接続して１００Ｖを流さないことを、犬や猫の齧りやいたずらや汚しなどによる１００Ｖの感電事故の防止策としたことを特徴とする請求項１記載のペット用冷暖房装置。
【請求項３】
請求項１の冷暖房装置を備えた犬小屋あるいは犬用サークルあるいは猫の寝床あるいはハムスターなどの小動物用飼育ケース。
【発明の詳細な説明】
【技術分野】
【０００１】
本発明は、犬や猫用の冷暖房装置に関する。
【背景技術】
【０００２】
暑さに弱いペット、特にハムスターなどの小動物や犬や猫の暑さ対策は室内用エアコンに頼る場合が多い。これは、人が居ない時にもエアコンを稼働させなければならず、極めて不経済であり環境にも悪いうえに、部屋を締め切る必要上り犬や猫を閉じ込めておくことになるという欠点があった。
【０００３】
ハムスターなど哺乳類の小動物や犬や猫は体毛があり汗腺が少ないために、エアコンの涼風や扇風機の風で、人間が涼むような涼感を感じることができない。暑いときに彼らは、温度の低い床や地面を探してそこに寝そべって体温を床や地面に逃がして暑さを凌ぐという涼み方をする習性がある。
【０００４】
このような習性に合わせた涼みができる石板や金属の板が市販されているが、短時間しか効果が無い。これは、体温を逃がす能力が少ないために、冷却効果が持続しない欠点による。
【０００５】
また、冷やした保冷剤を使用する水枕的なものもあるが効果の持続時間に限りがあるなど維持管理に手間がかかるという欠点があった。
【０００６】
さらに、冷え具合を人が一方的に決めているために、ハムスターなどの小動物や犬や猫が涼みたいときに涼むという選択ができなかったし、ハムスターなどの小動物が好む温度をハムスターなどの小動物自身が選択することができないという問題があった。
【０００７】
また、電気式の冷却プレートが普及しないのは、構造が複雑になり安価に製造することが出来ないことと、電気機器の場合に、ハムスターや犬や猫の齧りやいたずらや汚しの程度の予想が付きにくく、有効な安全策が採りにくいという問題があった。
【０００８】
【特許文献１】特許第３７９１２１９号
【発明の開示】
【発明が解決しようとする課題】
【０００９】
本発明は以上のような従来の欠点に鑑み、ハムスターなどの小動物や犬や猫が習性に合った涼み方ができるペット用冷暖房装置を提供することを目的としている。
【００１０】
そして、冷暖房のために犬や猫を部屋に閉じ込める必要が無く、野外も含む開かれた空間で使用することができてしかもエネルギーの効率の良いペット用冷暖房装置を提供することを目的としている。
【００１１】
さらに、ハムスターなどの小動物や犬や猫のいたずら対策もできて安全で維持管理が簡単で安価に製造することができるペット用冷暖房装置を提供することを目的としている。
【００１２】
そして、巣箱や飼育ケースの床に温度の異なった場所を作って、ハムスターなどの小動物が好む温度を、ハムスターなどの小動物自身が選ぶことが出来る冷暖房装置を提供することを目的としている。
【課題を解決するための手段】
【００１３】
上記目的を達成するために、本発明はペットの巣箱や飼育ケースの底面全体あるいは一部に当接させ、該当接された床面を熱伝導で熱を伝導させることができる、あるいはペットの犬や猫がねそべることができる熱伝導板と、この熱伝導板に吸熱側を取り付けたぺルチェ素子と、このぺルチェ素子の放熱側に取り付けた放熱板と、前記ぺルチェ素子の駆動装置とでペット用冷暖房装置を構成されている。
【００１４】
さらに、ハムスターなどの小動物や犬や猫の齧りやいたずらや汚しなどによる１００Ｖの感電事故の防止策として、駆動装置の少なくとも電源部をペット用冷暖房装置本体に搭載しないで別に設けて、前記ペット用冷暖房装置本体には低電圧少電流のＤＣコードを接続して１００Ｖを流さない構造を構成している。
【００１５】
さらに、上記ペット用冷暖房装置と、犬小屋あるいは犬用サークルあるいは猫の寝床あるいはハムスターなどの小動物用飼育ケースを組み合わせることで、冷暖房装置を備えた犬小屋あるいは犬用サークルあるいは猫の寝床あるいはハムスターなどの小動物用飼育ケースを構成している。
【発明の効果】
【００１６】
以下の説明から明らかなように、本発明にあっては次に列挙する効果が得られる。
【００１７】
（１）ハムスターなどの小動物や犬や猫が暑いときには温度の低い床や地面に寝そべって涼むという習性に合わせた理想的な涼み方ができるペット用冷暖房装置ができる。
【００１８】
（２）ハムスターなどの小動物や犬や猫が、冷暖房の部屋に閉じ込められることがなく、涼みたいときに自分の意思で涼むことができる。
【００１９】
（３）巣箱や飼育ケースの底に熱伝導板を当接させる位置を調整することで、巣箱や飼育ケースの中に強冷の床、中冷の床、弱令の床、冷やさない床などの温度差を作り分けることができる。したがって、ハムスターなどの小動物が好みの温度を選ぶことができる。なお、このことを本明細書の図１０ないし図１４で詳しく説明している。
【００２０】
（４）１００Ｖが流れる電源コードや駆動装置の少なくとも電源部をペット用冷暖房装置本体に搭載しないことができる。したがって、犬や猫に触れる可能性のあるコードにも、冷暖房装置本体にも、感電事故が起こらない低電圧少電流だけが流れるようにできる。したがって、ハムスターなどの小動物や犬や猫の齧りやいたずらや汚れなどの予想外のいたずらによる破壊に強く、１００Ｖの感電事故が発生することがない。
【００２１】
（５）特に、犬小屋や犬用サークルの場合には、熱伝導板以外の構成部分を小屋やサークルの外側に配置することができる。したがって、放熱板や駆動装置を犬から隔離することができる。
【００２２】
（６）前記（１）ないし（５）から、ハムスターなどの小動物や犬や猫にとって快適で、安全で、しかも清潔に使用することができる理想の冷暖房装置ができる。
【００２３】
（７）さらに、本発明のペット用冷暖房装置を床に取り付ければ、ペット用冷暖房装置付きの犬小屋、犬用サークル、猫の寝床、ハムスターなどの小動物用飼育ケースなどを作ることが出来る。
【００２４】
（８）本発明のペット用冷暖房装置は、冷気あるいは暖気を使用する冷暖房方式ではない。したがって、部屋を開放状態で使用でき、大電力を必要としない。したがって、野外も含む開かれた空間で使用することができてしかもエネルギーの効率の良く経済的に使用できる。
【００２５】
（９）本発明の冷暖房装置は、熱交換手段にぺルチェ素子を用いている。したがって、フロン・アンモニアなどの冷媒やコンプレッサーが不要である。したがって、単純な構造にすることが出来る。
【００２６】
（１０）本発明のペット用冷暖房装置の温度設定は、熱伝導板の温度を冷房時には最大でも１５℃程度下げればよく、暖房時には最大でも２０度程度上げれば良い。したがって、放熱板の面積の大部分を、使用者が触って火傷をする心配のない温度に設定できる。したがって、強制冷却しなくても使用できる。したがって、冷却ファンのような可動部分を含んだ強制冷却放熱ユニットが不要である。したがって、部品点数をさらに少なくすることが出来る。
【００２７】
（１１）前記（９）ないし（１０）から、可動部分がない単純な構造にすることが出来るので、安価に製造することが出来る。
【００２８】
（１２）スイッチの切り替えだけで冷房用・暖房用の兼用が出来る。したがって、夏と冬と同じ装置を使用できる。
【００２９】
前記により、保守取り扱いが簡便で経済的に使用できて、人にも、ハムスターなどの小動物や犬や猫にも安全なペット用冷暖房装置が出来る。
【発明を実施するための最良の形態】
【００３０】
フロンなどの冷媒を使わず、コンプレッサーや冷却ファンなど可動部を一切使わない最少の部品点数で、単純な構造のペット用冷暖房装置を実現した。
【００３１】
以下、図面に示す本発明を実施するための最良の形態により、本発明を詳細に説明する。なお、図面において、ネジや接着剤などの固定方法は省略してある。また、ペット用冷暖房装置を単に冷暖房装置と省略して表現している場合もある。
【実施例１】
【００３２】
図１ないし図１４に示す本発明を実施するための最良の第一の形態において、１はペットの巣箱や飼育ケース用の冷暖房装置で、この冷暖房装置1は、巣箱や飼育ケースの底面全体あるいは一部に当接させてその床面を冷やしたり暖めたりする熱伝導板２と、この熱伝導板２を冷やしたり暖めたりするために吸熱面側を熱伝導板２に取り付けたぺルチェ素子３と、このぺルチェ素子３の放熱側に取り付けて放・吸熱する放熱板４と、ぺルチェ素子の駆動装置１９とで構成されている。
【００３３】
熱伝導板２は、材質は銅やアルミニウムや銅合金やアルミニウム合金やマグネシウム合金などの熱伝導率の高い金属あるいはグラファイト系などの熱伝導率の高い物質を用いる。なお、下面には断熱塗料を塗る場合もあるが図では省略する。
【００３４】
熱伝導板２の厚さは、材質と大きさの関係で決める。厚いほど大きな熱拡散力が得られ、温度ムラも軽減する。しかし、厚さが増せばコスト高になるし重くなるのでバランスが必  要である。
【００３５】
本発明のペット用冷暖房装置は、温度設定を、熱伝導板の温度を冷房時には最大でも１５℃程度下げればよく、暖房時には最大でも２０度程度上げれば良い。したがって、放熱板の面積の大部分を、使用者が触って火傷をする心配のない温度に設定できる。
【００３６】
熱伝導板２はアルミニウム板を使用して、大きさが縦２００mm×横３００mmの平板であり厚さが３mmである。この大きさの場合、銅板であれば２mm以上が目安でアルミニウム板であれば３mm以上が目安になる。
【００３７】
放熱板４は、ぺルチェ素子３の放熱を自然放熱する本発明の重要な構成要素である。小さなぺルチェ素子３から出る熱を大きな放熱板４全体に拡散するために材質と厚さが重要であり、放熱板４に広い放熱面積と大きな熱拡散力を持たせることで、ぺルチェ素子３の自然放熱を可能にしている。実施例１の放熱板４はアルミニウム板を使用して、大きさが縦２００mm×横３００mmの平板であり厚さが３mmである。
【００３８】
但し、熱伝導板２と放熱板４の形状は、冷暖房の対象となる巣箱や飼育ケースの形状によって異なるので、上記の材質・厚さ・寸法・形状などを限定するものではない。
【００３９】
放熱板４の冷却は自然冷却であり、ファンなどの可動装置を用いない。実施例１ではペルチェ素子３から約１センチ離れたところから放熱板４をＬ字型に曲げて立てている。放熱板４は立てることによって温まった空気が表面を速く流れるので高い放熱効果を得ることができる。
【００４０】
放熱板４の自然放熱効果は、放熱板の形状によって大きく変わる。波型にして放熱面積を大きくするとか、縦に通気路を設けて煙突効果で空気の流れを促進するなど、この件は別の実施例で詳しく述べる。
【００４１】
５は熱交換部であり、熱伝導板２と放熱板４がぺルチェ素子３を挟んだサンドイッチ構造で構成している。ぺルチェ素子の固定方法は熱伝導板２と放熱板４による圧着であるが、粘着性の熱伝導シートを一面又は両面に使用する場合もある。
【００４２】
７は放熱板固定部であり、実施例１の放熱板４の固定方法は熱伝導板２に放熱板４を固定する構造で構成されている。放熱板４が断熱材６を挟んで熱伝導板２に固定され冷暖房装置として一体化している。固定はボルト・ナットや接着剤などを用いる。この固定方法は、アングルなどの部品を必要としないので単純な構造にすることが出来る特長がある。但しＬ字型のアングルを介して熱伝導板と放熱板を固定する方法などもあり、放熱板の固定方法や形状については、図が限定するものではない。
【００４３】
８は切り込み部である。ぺルチェ素子３に近い場所では、最も冷えている熱伝導板２と最も温まっている放熱板４とが数ミリの間隔で対面しているために、この部分で熱干渉による熱損失が起きる。これを避けるために、対面部分の双方あるいはどちらか一方に切り込み部分を設けたものである。なお、切り込み部８を設けずに熱伝導板と放熱板の対面部分に断熱材を挟むあるいは充填する方法も効果があり、切り込み部を設けながら、残った対面部分には断熱材を併用する方法もある。切り込みの形状については、図が限定するものではない。
【００４４】
さらに、この切り込み部は放熱板固定部７方向に拡散する熱を遮断して放熱板固定部７で起こる熱干渉を軽減する効果を担う。
【００４５】
１９はぺルチェ素子３の駆動装置であり、駆動装置箱２０と、電源コード２１と、低電圧ＤＣコード２２とで構成されている。駆動装置は家庭のコンセントから１００Ｖの交流を受けて、約３Ｖ〜１５Ｖ程度の直流電流をぺルチェ素子３に供給する。２３は冷暖房切替スイッチであり冷暖房の切り替えは直流電流の極性を切り替えることで行う。
【００４６】
図１に示す、本発明を実施するための最良の形態の斜視図おいて、１は本発明の冷暖房装置であり、熱伝導板２とぺルチェ素子３と放熱板４とが一体になった冷暖房装置本体１０と、駆動装置１９とで構成されている。
【００４７】
なお、図１には駆動装置１９を表示しているが、以降の図面及び他の実施例を説明する図面においても、必要な場合を除き駆動装置の表示は省略する。
【００４８】
図２に示す本発明を実施するための最良の形態の熱伝導板の斜視図において、図１から放熱板４を取り除いた状態の斜視図であり、熱伝導板２と熱伝導板に設けた切り込み部８と熱伝導板側の熱交換部５とぺルチェ素子３とで構成されている。
【００４９】
図３に示す本発明を実施するための最良の形態の熱伝導板の平面図において、図２の熱伝導板２を説明している。熱交換部５とぺルチェ素子３の位置、切り込み部８の形状や位置を詳しく説明している。熱交換部５はぺルチェ素子３の熱拡散効果を高めるために台形をしている。一方、放熱板固定部７への直接的な熱の流れを遮断するためには切り込みを深くする必要がある。このことが、切り込み部を楔型にしてある主な理由である。したがって、ぺルチェ素子３側の熱拡散面積が確保されて、切り込みの深さがあれば、その形状は楔形に限らない。
【００５０】
図４に示す本発明を実施するための最良の形態の放熱板の斜視図において、図１の放熱板の斜視図である。熱伝導板と同様に楔形の切り込み部８を設け、放熱板の大部分をＬ字型に折り曲げて立てにしていることを説明している。
【００５１】
図５に示す本発明を実施するための最良の形態の放熱板の平面図において、図４の放熱板を説明している。熱交換部５とぺルチェ素子３の位置、切り込み部８の形状や位置を詳しく説明している。熱交換部５はぺルチェ素子３の熱拡散効果を高めるために台形をしている。一方、放熱板固定部７への直接的な熱の流れを遮断するためには切り込みを深くする必要がある。このことが、切り込み部８を楔型にしてある主な理由である。したがって、ぺルチェ素子３側の熱拡散面積が確保されて、切り込みの深さがあれば、その形状は楔形に限らない。
【００５２】
図６に示す本発明を実施するための最良の形態の冷暖房装置の平面図において、図６は、図３と図５を重ねた、つまり実際に組み合わせた状態を示している。熱伝導板２の上にぺルチェ素子３その上に放熱板４が重なって熱交換部５が形成される。切り込み部８が放熱板固定部７への直接的な熱伝導を遮断している状態を説明している。
【００５３】
図７に示す図６の７−７線に沿う断面図において、熱伝導板２を平面にして、ここにぺルチェ素子３の吸熱側を下にして載せ、ぺルチェ素子３の放熱側に放熱板４を載せた熱交換部５のサンドイッチ構造を詳細に説明している。放熱板固定部７では、下から熱伝導板２断熱材６放熱板４のサンドイッチ構造になって放熱板４が熱伝導板２に固定されている。熱交換部５と放熱板固定部７の間は切り込み部８によって熱の直接伝導が遮断されている。
【００５４】
図から解る通り、放熱板固定部７はぺルチェ素子３から離れた場所が良い。これは、冷えた熱伝導板２と暖かい放熱板４との温度差が少ないほど熱干渉が少ないからであり、熱交換部５と断熱材６によって熱干渉による損失をさらに少なくしている。
【００５５】
図８に示す図６の８−８線に沿う断面図において、熱伝導板２とぺルチェ素子３と放熱板４の位置関係を説明している。熱交換部５のサンドイッチ構造が明確である。
【００５６】
放熱板４は図のようにＬ字型に曲げて立てにしてある。立てることによって空気の対流による放熱効果を高めている。最大でも１５度程度温度を下げればよい吸熱のために、高温の放熱をしなくても済む本発明の冷暖房装置の特性から、面積の広い放熱板をこのように使用することによって、強制冷却用のファンつまり可動部分を省くことができる。
【００５７】
ぺルチェ素子３の実装方法である熱伝導板２とぺルチェ素子３と放熱板４の位置関係については、多様な形があり実施例１はその一例であるので、図が位置関係を限定しない。
【００５８】
図９に示す６の９−９線に沿う断面図において、放熱板固定部７の熱伝導板２と放熱板４との位置関係を説明している。放熱板４は断熱材６を挟んで熱伝導板２に固定している。なお、放熱板４の固定方法については、実施例１はその一例であり図が固定方法を限定しない。
【００５９】
図１から図９で明らかなように、本発明の冷暖房装置１は極めて単純な構造で構成されていることが特長である。
【００６０】
また、冷房と暖房の切替は、放熱板４に熱伝導板の役割を担わせて、熱伝導板２に吸熱板の役割を担わせること、つまりひっくり返して暖房装置として使用することも、実施例１のような形状の場合には可能である。
【００６１】
図１０〜図１４は、本発明の実施例１の使用状態の図である。
【００６２】
図１０は、本発明を実施するための最良の形態の実施例１の使用状態１の断面図である。飼育ケース４０の底に巣穴４１を設けて巣箱４２を連結させて一体にした飼育環境であり、巣箱４２の床全面に本発明の冷暖房装置１の熱伝導板２を当接させて冷房している図である。熱伝導板のぺルチェ素子３に最も近い部分が当接している床が強冷の床４３になり強冷の床の部屋４４になる。次が中冷の床４５になり中例の床の部屋４６になる。ぺルチェ素子から遠い部分の熱伝導板が当接している床が弱冷の床４７になり、弱冷の部屋４８になる。これにより、ハムスターなどの小動物は強冷・中冷・弱冷の好みの温度の床の部屋を選ぶことができる。真夏日・熱帯夜には冷房能力を最も発揮するこのような使用方法が良い。
【００６３】
なお、熱伝導板２の下に発泡ウレタンあるいは発泡スチロールあるいはグラスウールあるいは布など断熱性の高い材質で出来た断熱台５３を敷くことにより、効率よく無駄なく冷暖房を行うことができる。
【００６４】
図１１は、本発明を実施するための最良の形態の実施例１の使用状態２の断面図であり、熱伝導板２を巣箱底面の一部に当接させる使用例である。ぺルチェ素子３に近い側の熱伝導板２の部分が当接している床が中冷の床４５になり、中冷の床の部屋４６になる。隣が、弱冷の床４７になり、弱冷の床の部屋４８になる。熱伝導板が当接していない床が冷房無しの床４９であり、冷房無しの床の部屋５０になる。ハムスターなどの小動物は好みの温度の床の部屋を選ぶことができる。
【００６５】
図１２は、本発明を実施するための最良の形態の実施例１の使用状態３の断面図であり、熱伝導板２を飼育ケース底面全体に当接させた場合である。飼育ケース４０の床の全部を本発明の冷暖房装置１で冷房している。ぺルチェ素子に近い側から強冷の床・中冷の床・弱冷の床ができるので、ハムスターなどの小動物は好みの温度の床を選ぶことができる。真夏日・熱帯夜には冷房能力を最も発揮するこのような使用方法が良い。
【００６６】
図１３は、本発明を実施するための最良の形態の実施例１の使用状態４の断面図であり、熱伝導板２を飼育ケース底面の一部に当接させた場合である。飼育ケース４０の床の一部を本発明の冷暖房装置１で冷房している。弱冷の床と冷えていない床を作ることができるので、ハムスターなどの小動物は好みの温度の床を選ぶことができる。
【００６７】
図１４は、本発明を実施するための最良の形態の実施例１の使用状態５の断面図であり、飼育ケースの底に凹凸がある場合の使用例である。飼育ケースの底に凹凸がある場合には熱伝導板が底面に十分に当接しない。その場合には、自在に変形して底に密着する熱伝導性のもの、つまり、油粘土やゾル状の保冷剤入りの袋などを間に挟むことで、間接的ではあるが熱伝導板２と底面が接するので使用できる。
【００６８】
以下に、本発明を実施するための異なる実施例を説明する。これらの本発明を実施する異なる実施例の説明に当たって、前記本発明を実施する実施例１の形態と同一構成部分には同一符号を付して重複する説明を省略する。
【実施例２】
【００６９】
図１５ないし図２０で実施例２を説明する。
【００７０】
図１５ないし図２０に示す本発明を実施するための実施例２において、前記本発明を実施するための実施例１の形態と主に異なる点は、熱伝導板２ＡをＬ字型に曲げて、曲げて縦にした部分にぺルチェ素子３を取り付けて、そのぺルチェ素子に放熱板４Ａを取り付けた点であり、このように熱伝導板２Ａの方を曲げても、前記本発明を実施する最良の形態と同様な作用効果を得られる。
【００７１】
実施例２の実施例１に対する優位点は、熱伝導板２Ａの水平部分の全てを使用できる点である。但し、熱伝導板２の曲げ部分で吸熱力を落とさない形状の工夫、つまり、熱伝導板２Ａの熱拡散力を劣化させない形状、例えば図のように熱伝導板２Ａのぺルチェ素子取り付け部５Ａの面積を広く取って、折り曲げた部分の吸熱力にムラが生じないようにするなどの工夫をするとなお良い。
【００７２】
図１５は、本発明を実施するための実施例２の斜視図であり、実施例２の冷暖房装置１Ａ全体を説明している。熱伝導板２ＡをＬ字型に曲げて縦にした側にぺルチェ素子３を取り付けていることにより、熱伝導板２Ａの当接面全面が平になっていることがわかる。
【００７３】
図１６は、本発明を実施するための実施例２の熱伝導板の斜視図であり、実施例１と異なり熱伝導板２Ａの方をＬ字型に曲げていることを説明している。
【００７４】
切り込み部８Ａの形状を円弧状にしていることがわかる。これは熱伝導板２Ａの吸熱力のムラを減少させる効果がある。
【００７５】
図１７は、本発明を実施するための実施例２の熱伝導板の平面図であり、熱伝導板２Ａの水平部分の全面が平坦であることがわかる。
【００７６】
図１８は、本発明を実施するための実施例２の熱伝導板の立面図であり、熱伝導板２Ａの立てた部分のぺルチェ素子の取り付け位置や切り込み部８Ａの形状、放熱板固定部７の形状を詳しく説明している。
【００７７】
図１９は、本発明を実施するための実施例２の放熱板の斜視図であり、実施例1と異なり、放熱板４Ａの方が平面であることがわかる。
【００７８】
図２０は、本発明を実施するための実施例２の放熱板の立面図である。
【実施例３】
【００７９】
図２１ないし図３３で実施例３を説明する。
【００８０】
図２１ないし図３３に示す本発明を実施するための第３の形態において、前記本発明を実施するための実施例１の形態と主に異なる点は、熱交換部５にカバーを取り付けた点である。実施例１及び実施例２がハムスターなどの小動物の巣箱や飼育ケースの床を冷やしたり暖めたりするものであったが、実施例３は犬や猫用である。
【００８１】
図２１ないし図３３に示す本発明を実施するための最良の形態の実施例３において、１Ｂは犬や猫が寝そべって涼んだり温まったりすることができる冷暖房装置で、この冷暖房装置1Ｂは犬や猫が載って寝そべって涼んだり温まったりすることができる熱伝導板２Ｂと、この熱伝導板２Ｂを冷やしたり暖めたりするために吸熱面側を熱伝導板２Ｂに取り付けたぺルチェ素子３と、このぺルチェ素子３の放熱側に取り付けて放・吸熱する放熱板４Ｂと、ぺルチェ素子の駆動装置１９とで構成されている。なお、熱伝導板の上にタオルやシートを敷いてその上に載る場合もあるが、図ではタオルなどの表現は省略している。
【００８２】
熱伝導板２Ｂは、材質は銅やアルミニウムや銅合金やアルミニウム合金やマグネシウム合金などの熱伝導率の高い金属あるいはグラファイト系などの熱伝導率の高い物質を用いる。熱伝導板２Ｂの大きさは犬や猫が寝そべって載ることが目安になる。厚さは、材質と大きさによって決める。厚いほど大きな熱拡散力が得られ、温度ムラも軽減する。しかし、厚さが増せばコスト高になるし重くなるので材質と大きさと厚さの関係でバランスが必要である。実施例３は小型犬と猫を対象にしているので、アルミニウム板を使用して、大きさが縦３００mm×横４００mmの平板であり厚さが３mmである。この大きさの場合、銅板であれば２mm以上が目安でアルミニウム板であれば３mm以上が目安になる。
【００８３】
放熱板４Ｂは、ぺルチェ素子３の放熱を自然放熱する本発明の重要な構成要素である。小さなぺルチェ素子３から出る熱を大きな放熱板４全体に拡散するために材質と厚さが重要であり、実施例３の放熱板４は厚さ３mmのアルミニウム板で大きさが縦３００mm×横４００mmで構成されている。放熱板４Ｂに広い放熱面積と大きな熱拡散力を持たせることで、ぺルチェ素子３の自然放熱を可能にしている。
【００８４】
但し、熱伝導板２Ｂと放熱板４Ｂの形状は、対象となる犬や猫の大きさによって異なるので、上記の材質・厚さ・寸法・形状が本発明を限定するものではない。
【００８５】
５Ｂは熱交換部であり、熱伝導板２Ｂと放熱板４Ｂでぺルチェ素子３を挟んだサンドイッチ構造で構成されている。ぺルチェ素子の固定方法は熱伝導板２Ｂと放熱板４Ｂによる圧着である。但し、粘着性の熱伝導シートを一面又は両面に使用する場合もある。
【００８６】
実施例３の熱伝導板２Ｂとぺルチェ素子３と放熱板４Ｂの位置関係は、熱伝導板２の一片を折ってＬ字型に立てて、立てた部分にペルチェ素子３の吸熱部分を取り付けて、ぺルチェ素子３の放熱側に放熱板４Ｂを取り付けるように構成されている。
【００８７】
７Ｂは放熱板固定部であり、放熱板４Ｂが断熱材６Ｂを挟んで熱伝導板２に固定して冷暖房装置として一体化させる。固定はボルト・ナットや接着剤などを用いる。
【００８８】
８Ｂは切り込み部である。ぺルチェ素子３に近い場所では、最も冷えている熱伝導板２Ｂと最も温まっている放熱板４Ｂとが数ミリの間隔で対面しているので、この部分で起きる熱干渉の損失は大きい。この熱干渉を少なくするために、対面部分の双方あるいはどちらか一方に切り込み部８Ｂを設ける。なお、切り込み部を設けずに対面部に断熱塗料を塗ったり、断熱材を充填したり挟んだりする方法も効果があり、切り込み部と断熱塗料と断熱材を併用しても良い。さらに、対面間隔を広げることで熱干渉を少なくする方法もあるがこれは別の項目で詳しく説明する。
【００８９】
さらに、この切り込み部８Ｂは放熱板固定部７Ｂ方向に拡散する熱を遮断して放熱板固定部７Ｂで起こる熱干渉を軽減する役割を担う。
【００９０】
１９はぺルチェ素子３の駆動装置である。ぺルチェ素子３は約３Ｖ〜１５Ｖ程度の直流電流で駆動する。２１は電源コード、２２は本体のぺルチェ素子へ駆動電力を供給する低電圧ＤＣコード、２３は冷暖房切替スイッチである。駆動装置１９は家庭のコンセントから１００Ｖの交流を受けて、約３Ｖ〜１５Ｖ程度の直流電流をぺルチェ素子３に供給する。冷暖房の切替は直流電流の極性を切り替えることで行う。
【００９１】
なお、駆動装置１９を図１には表示しているが、他の図においては、特別な場合を除き駆動装置１９の表示は省略している。
【００９２】
図２１ないし図２４に示す本発明を実施するための最良の形態の実施例３の斜視図２１．２２．２３において、１はペット用冷暖房装置１Ｂであり、熱伝導板２Ｂと放熱板４Ｂと熱交換部５Ｂと放熱板固定部７Ｂと駆動装置１９を主な構成要素として構成されている。
【００９３】
図２１は、熱交換部５Ｂに熱交換部カバー９を取り付けた状態、図２は熱交換部カバー９を取り外しているところ、図３は熱交換部カバー９を取り外したペット用冷暖房装置１Ｂである。なお、以後の説明図では熱交換部５Ｂと放熱板４Ｂのカバーや柵についての表示は省略し、カバーや柵の実施例は別に述べる。
【００９４】
図２４に示す本発明を実施するための最良の形態の実施例３を分解した斜視図において、熱交換部分５Ｂは、熱伝導板２Ｂとぺルチェ素子３と放熱板４Ｂのサンドイッチ構造で構成されている。
【００９５】
放熱板固定部７Ｂは、放熱板固定部７Ｂが、熱伝導板２Ｂとの間に断熱材６Ｂを挟んで放熱板４Ｂが固定される構造で構成されている。このように放熱板固定部７Ｂはぺルチェ素子３から遠い部分つまり、熱伝導板２Ｂと放熱板４Ｂの温度差が小さい場所で固定する方が熱干渉が少なくなるので良い。
【００９６】
切り込み部８Ｂは、ぺルチェ素子３から熱伝導板２Ｂと放熱板４Ｂの方向には広く広がる形状と、熱伝導板２Ｂと放熱板４Ｂが重なる部分の切り込みと、放熱板固定部７Ｂ付近の楔形の切り込みとで構成されている。ぺルチェ素子３から熱伝導板２Ｂと放熱板４Ｂの方向には広く広がる形状は、ぺルチェ素子３の熱を拡散する効率を低下させないためであり、重なる部分の切り込みは、熱干渉を避けるためであり、楔形の切り込みは、放熱板固定部７Ｂへ直接流れる熱の流れを遮断するためであり、切り込みを深くすれば熱が回り込む分遮断効果が高くなる。したがって、ぺルチェ素子３の熱拡散効率や、熱遮断効率が悪くならなければ、その形状は図が拘束しない。
【００９７】
図２４では、本発明の冷暖房装置本体１０が極めてシンプルな部品で、しかも、少数部品で構成されていることを説明している。
【００９８】
図２５に示す本発明を実施するための最良の形態の実施例３の冷暖房装置本体の立面図において、３ヶ所の断面図２９、図３０、図３１を用いて細部を説明する。
【００９９】
図２６に示す本発明を実施するための最良の形態の実施例３の冷暖房装置本体１０Ｂの平面図において、熱交換部５Ｂが熱伝導板２Ｂとぺルチェ素子３と放熱板４Ｂのサンドイッチ構造で構成されている。
【０１００】
図２７は、本発明を実施するための最良の形態の実施例３の熱伝導板の立面図である。Ｌ字型に曲げた部分が中央の熱交換部５Ｂと切り込み部８Ｂと両端の放熱板固定部７Ｂで構成されている。
【０１０１】
図２８は、本発明を実施するための最良の形態の実施例３の放熱板の立面図である。大きな放熱部分と、熱交換部５Ｂ中央のぺルチェ素子３と、切り込み部８Ｂと、両端の放熱板固定部７Ｂで構成されている。
【０１０２】
図２９は、図２５の２９−２９線に沿う断面図である。Ｌ字型に曲げて立てた熱伝導板２Ｂとぺルチェ素子３と放熱板４Ｂのサンドイッチ構造で熱交換部５Ｂが構成されている。
【０１０３】
図３０は、図２５の３０−３０線に沿う断面図である。熱伝導板２Ｂと断熱材６Ｂと放熱板４Ｂのサンドイッチ構造で放熱板固定部７Ｂが構成されている。
【０１０４】
図３１は、図２５の３１−３１線に沿う断面図である。熱伝導板２Ｂとぺルチェ素子３と放熱板４Ｂのサンドイッチ構造の熱交換部５Ｂと、切り込み部８Ｂと、熱伝導板２Ｂと断熱材６Ｂと放熱板４Ｂのサンドイッチ構造の放熱板固定部７Ｂとで構成されている。
【０１０５】
図から解る通り、放熱板固定部７Ｂはぺルチェ素子３から離れた場所が良い。これは、冷えた熱伝導板２Ｂと暖かい放熱板４Ｂとの温度差が少ないほど熱干渉が少ないからであり、切り込み部８Ｂと断熱材６Ｂによって熱干渉による損失をさらに少なくする効果がある。
【０１０６】
放熱板を放熱に必要な面積・形状にしてこのように使用することによって、強制冷却用のファンつまり可動部分を省いている。
【０１０７】
なお、熱交換部５のぺルチェ素子３の実装方法である熱伝導板２とぺルチェ素子３と放熱板４の位置関係については、多様な形がある。実施例１ないし実施例３はその一例であり、その他の位置関係については別の項で述べる。したがって、実施例１ないし実施例３が熱伝導板２とぺルチェ素子３と放熱板４の位置関係について限定しない。
【０１０８】
また、冷房と暖房の切り替えは、放熱板４に熱伝導板の役割を担わせて、熱伝導板２に吸熱板の役割を担わせること、つまりひっくり返して暖房装置として使用することも、実施例１ないし実施例３のような形状の場合には可能である。
【０１０９】
放熱板４の自然放熱力は、実施例１ないし実施例３のような平板のほかに、形状によって大きく変わる。波型にして放熱面積を大きくするとか、縦に筒・通気路を設けて煙突効果で空気上昇を促進するなど、この件は別の実施例で詳しく述べる。したがって、実施例１ないし実施例３が放熱板４の形状を限定しない。
【０１１０】
次に、図１２ないし図１３で請求項２の実施例を説明する。
【０１１１】
図３２ないし図３３に示す本発明を実施するための最良の形態において、本発明の冷暖房装置の犬や猫の齧りやいたずらや汚しなどによる１００Ｖの感電事故の防止策は、駆動装置の少なくとも電源部を、前記冷暖房装置の本体に搭載しないで別に設けて犬や猫から隔離し、前記駆動装置と前記冷暖房装置の本体の間は低電圧少電流のＤＣコードで接続してぺルチェ素子を駆動し、前記冷暖房装置本体には１００Ｖを流さない構造で構成されている。
【０１１２】
図３２に示す本発明を実施するための最良の形態の実施例３の背面の斜視図において、駆動装置１９は駆動装置箱２０と、電源コード２１と、低電圧ＤＣコード２２と、冷暖房切替スイッチ２３と、接続部２４と、ＤＣジャック２５を主な構成要素として構成されている。
【０１１３】
図３２のａ図とｂ図の違いは、冷暖房切替スイッチを駆動装置箱２０側に設けた場合ａ、と冷暖房装置本体１０側に設けた場合ｂであり、ａｂどちらでも１００Ｖの感電事故防止策の効果に変わりはない。
【０１１４】
Ｖ  図３３に示す本発明を実施するための最良の形態の実施例３の電気回路図において、２６は本発明の冷暖房装置の基本的な電気回路であり、電源部のＡＣ→ＤＣ変換部分まで１００Ｖの電流が流れている。電源部から出る直流電流は電圧がおよそ３Ｖ〜１５Ｖである。したがって、電源部の出力以降には１００Ｖは流れない。
【０１１５】
電気回路に１００Ｖが流れるのは、電源コード２１から電源部２７のＡＣ→ＤＣ変換回路までである。したがって、少なくともこの部分までを冷暖房装置本体１０に搭載しないで犬や猫から隔離し、これ以降を低電圧ＤＣコード２２で冷暖房装置本体１０に接続するものである。これにより、冷暖房装置本体１０にはＡＣ１００Ｖは流れずに、ＤＣ３Ｖないし１５Ｖ程度の低電圧電流だけが流れる。
【０１１６】
このようにＡＣ→ＤＣ変換回路２５以降を低電圧ＤＣコード２２にして接続する方法が図３２のｂ図に相当する。図３２のａ図は冷暖房切替スイッチ２３以降を低電圧ＤＣコード２２にして接続する方法である。これによって、１００Ｖが流れている電源コード２１からＡＣ→ＤＣ変換回路２５までを犬や猫から隔離することができる。
【０１１７】
本発明の冷暖房装置は、犬や猫の、予想を超える万が一の行動、つまり齧りや引きちぎりなどの破壊行動や糞尿による汚れがあっても、犬や猫に１００Ｖの感電事故が起きない対策を講じたものである。
【０１１８】
なお、ＡＣ→ＤＣ変換回路の電源は１００Ｖだけを限定するものではなく、１１０Ｖ〜２４０Ｖなどを含む。さらに、ＤＣ電圧も３Ｖないし１５Ｖに限定するものではなく、ぺルチェ素子３が効率よく稼働する範囲であれば、１．５Ｖとか３５Ｖなどもありえる。
【０１１９】
以上の説明から明らかなように、本発明の冷暖房装置は極めて単純でしかも安全な構造で構成されていることが特長である。
【実施例４】
【０１２０】
次に、図３４ないし図４１で実施例４を説明する。
【０１２１】
図３４ないし図４１に示す本発明を実施するための実施例４において、前記本発明を実施するための実施例１の形態と主に異なる点は、熱伝導板２Ｃと放熱板４Ｃの固定方法である。実施例４は、Ｌ字型のアングル１１を使用して、このＬ字型のアングル１１に熱伝導板２Ｃと放熱板４Ｃをそれぞれ固定している。放熱板の固定が熱伝導板２と放熱板４の強度で構成されている実施例１ないし実施例３に比べて、冷暖房装置本体１０を頑強に作ることができるので、大型化に都合の良い構造である。したがって、力の強い中型犬以上を対象にした冷暖房装置に適している。このようなアングルを用いても、前記本発明を実施する最良の形態と同様な作用効果を得られる。
【０１２２】
実施例４の実施例１に対する更なる優位点は、Ｌ字型のアングル１１を、柵やカバーを取り付ける基台として利用できることである。
【０１２３】
図３４に示す本発明を実施するための実施例４の斜視図において、この冷暖房装置1Ｃは、熱伝導板２Ｃとぺルチェ素子３と放熱板４ＣとＬ字型のアングル１１と駆動装置１９を主な構成要素として構成されている。
【０１２４】
図３５に示す本発明を実施するための実施例４を分解した斜視図において、図３４から熱伝導板２Ｃを取り除いた図である。放熱板４Ｃとその熱交換部５Ｃに取り付けたぺルチェ素子３と、Ｌ字型のアングル１１と断熱材６Ｃとで構成されている。
【０１２５】
なお、アングルの材料にはステンレスや、合成樹脂を用いると良いが、ステンレスなど熱伝導率が比較的高い金属を使用する場合には、図のように断熱材６ＡをＬ字型アングルと熱伝導板・放熱板の間に挟み込んだ方が熱干渉の損失が少なくなる効果がある。アングルの素材を熱伝導率の高い金属にした場合には、放熱板側の断熱材は取り付けない方が熱拡散に役立つ場合もあるので、その場合には、放熱板側には断熱材を取り付けず、放熱板をアングルに直接取り付ける構造にしたほうが良い。
【０１２６】
図３６に示す本発明を実施するための実施例４の立面図において、２Ｃが熱伝導板、４Ｃが放熱板、５Ｃが熱交換部、６Ｃが断熱材、８Ｃが切り込み部、１１がＬ字型のアングルであり、このような位置関係にすると良い。
【０１２７】
図３７に示す本発明を実施するための実施例４の熱伝導板を取り除いた場合の立面図において、３がぺルチェ素子、４Ｃが放熱板、５Ｃが熱交換部の放熱板側、６Ｃが断熱材、１１がＬ字型のアングルである。
【０１２８】
図３８に示す本発明を実施するための実施例４の平面図において、２Ｃが熱伝導板、３がぺルチェ素子、４Ｃが放熱板、５Ｃが熱交換部、６Ｃが断熱材、１１がＬ字型のアングルである。
【０１２９】
図３９に示す図３６の３９−３９線に沿う断面図において、熱伝導板２Ｃと熱伝導板をＬ字型に曲げた部分とＬ字型に曲げた部分に吸熱側を取り付けたぺルチェ素子３とぺルチェ素子の放熱側に取り付けた放熱板４Ｃとで構成されている。熱交換部５Ｃは実施例１ないし実施例３と同一の構造であることを説明している。
【０１３０】
図４０に示す図３６の４０−４０線に沿う断面図において、Ｌ字型のアングル１１に断熱材６Ｃを介して固定されている熱伝導板２Ｃと放熱板４Ｃを説明している。
【０１３１】
図４１に示す図３６の４１−４１線に沿う断面図において、熱伝導板２Ｃとぺルチェ素子３と放熱板４Ｃで構成されている熱交換部５Ｃを説明している。切り込み部８Ｃを間にしてＬ字型のアングル１１が熱交換部５Ｃから十分に離れた位置にあることを説明している。熱交換部５Ｃは実施例１ないし実施例３と同一の構造であることを説明している。
【実施例５】
【０１３２】
図４２及び図４３に示す本発明を実施するための実施例５において、前記本発明を実施するための実施例１の形態と主に異なる点は、放熱板の形状である。実施例５の冷暖房装置本体１０Ｄの放熱板は、波型の放熱板４Ｄで構成されている。実施例２に比べて放熱効率が上がるので放熱板を小型にすることが出来る。
【実施例６】
【０１３３】
図４４及び図４５ａ・ｂに示す本発明を実施するための実施例６において、前記本発明を実施するための実施例１の形態と主に異なる点は、放熱板の形状である。実施例４の冷暖房装置本体１０Ｅの放熱板は、煙突状にした筒１２を中央に取り付けた放熱板４Ｅで構成されている。
【０１３４】
筒１２をぺルチェ素子３のちょうど裏側に配置することによって、空気の流れ１４が促進され、熱交換部５Ｅの温度が最も高い部分に外気の流れを取り入れることで、空冷効率を上げることができる。したがって、実施例１に比べて放熱効率が上がるので放熱板を小型にすることが出来る。さらに、筒１２をアルミニウムや銅などで作れば、放熱板の熱拡散力を高めることができる。
【実施例７】
【０１３５】
図４６及び図４７に示す本発明を実施するための実施例７において、前記本発明を実施するための実施例１の形態と主に異なる点は、放熱板の形状である。実施例７の冷暖房装置本体１０Ｆの放熱板は、実施例６の煙突状にした筒１を横に並べて取り付けた放熱板４Ｆで構成されている。
【０１３６】
並べた筒１３によって、放熱板４Ｆの熱拡散力が高くなり、空冷効率をさらに上げることができる。したがって、実施例１に比べて放熱効率が上がるので放熱板４Ｆをさらに小型にすることが出来る。したがって、大型犬用の大きな熱伝導板の放熱板などに適している。
【実施例８】
【０１３７】
図４８及び図４９に示す本発明を実施するための実施例８において、前記本発明を実施するための実施例１の形態と主に異なる点は、放熱板の形状である。実施例８の冷暖房装置本体１０Ｇの放熱板は、実施例６の煙突状にした筒１と実施例５の波型の放熱板を組み合わせた放熱板４Ｇで構成されている。
【０１３８】
筒で縦に熱拡散を進め波型で放熱することによって放熱力を高めている。したがって、実施例１に比べて放熱効率が上がるので放熱板を小型にすることが出来る。
【０１３９】
ぺルチェ素子の冷却力つまり吸熱力は、放熱側からいかに効率よく放熱することができるかに密接に関わる。したがって、本発明の冷暖房装置において放熱板の役割は極めて大きい。大きな熱伝導板２の冷暖房装置本体１０の場合には平面で出来た大きな放熱板の代わりに実施例５ないし実施例８のような放熱板を使用すると冷暖房装置本体１０を小さくすることができる。
【０１４０】
なお、実施例５ないし実施例８の放熱板の形状は例であり、波の形や波の数、筒の形や筒の数、波と筒の組み合わせなどを図が限定するものではない。
【実施例９】
【０１４１】
図５０のａないしｇに示す本発明を実施するための実施例９において、前記本発明を実施するための実施例１の形態と主に異なる点は、熱交換部の熱伝導板と放熱板の対面している部分の形状の違いである。実施例９のａないしｇに示す熱交換部は、熱伝導板と放熱板の双方あるいはどちらか一方のぺルチェ素子取り付け部を凸部にすることで構成されている。
【０１４２】
なお、ここで説明する実施例は、熱交換の実施例であるので、図は他の部分を省略し、実施例７のａないしｇという表現で説明する。
【０１４３】
冷房時において、熱交換部のぺルチェ素子付近は、熱伝導板は最も温度が低く、放熱板は最も温度が高く、双方の温度差が最も大きい場所である。ぺルチェ素子1個の厚さは数ミリ程度なので、接近している熱伝導板２と放熱板４の熱干渉による熱損失が大きい場所である。したがって、図のように対面部分に距離を作ることで熱干渉を少なくすることができる。
【０１４４】
図５０ａは、熱交換部５Ｈを説明している。熱伝導板２Ｅと放熱板４Ｈのぺルチェ素子を取り付ける部分の反対側を凹ませて凸部１５を設けたものであり、お互いの凸部分の距離だけ、熱伝導板と放熱板を離すことができる。
【０１４５】
ｂは、熱交換部５Ｉを説明している。どちらか一方に凸部１５を設けた場合であり、一方の凸部の距離だけ熱伝導板と放熱板を離す効果がある。放熱板だけに凸部を設けた場合の図は省略する。
【０１４６】
ｃは、熱交換部５Ｊを説明している。熱伝導板２Ｆと放熱板４Ｉの双方に盛り上げ部１６を作ったものであり、お互いに盛り上げ部１６を持つ。盛り上げ部１６は熱伝導板２と放熱板４の距離を離す効果は凸部と同じである。盛り上げ部１６の材質は熱伝導板及び放熱板と同等かそれ以上の熱伝導率を持った材質を用いる。盛り上げ部に熱伝導率が高い銅などを使用すれば熱拡散力が凸部の場合より高まる。
【０１４７】
ｄは、熱交換部５Ｋを説明している。ｃの片方タイプである。放熱板だけに盛り上げ部１６を設けた場合の図は省略する。
【０１４８】
ｅは、熱交換部５Ｌを説明している。盛り上げ部１７が搾り出しなどで一体化している場合の例である。熱伝達ロスが無くなり、熱交換部の熱拡散力がさらに高まるので良い。
【０１４９】
ｆは、熱交換部５Ｍを説明している。ｅの片方タイプである。放熱板だけに盛り上げ部１７を設けた場合の図は省略する。
【０１５０】
ｇは、実施例１及び実施例２で取り入れている方法である。対面する部分に切り込み部８を設けるものでる。対面する部分がなければ熱干渉が起こらない。
【実施例１０】
【０１５１】
図５１のａないしｇに示す本発明を実施するための実施例１０において、前記本発明を実施するための実施例１の形態と主に異なる点は、熱交換部の熱伝導板と放熱板の対面している部分の形状の違いに加えて、ぺルチェ素子周りの隙間にウレタンフォームや発泡スチロールなどの断熱材を、挟み込むあるいは充填することで構成されている。
【０１５２】
実施例１０のａないしｇに示す熱交換部は、実施例９のａないしｇを対象にして、ぺルチェ素子３の周りの隙間にウレタンフォームや発泡スチロールなどの断熱材を、挟み込むあるいは充填するものである。図は充填断熱材など１８の例であり、挟みこむ場合も形状は類似するので、図は省略する。また、対面部に断熱塗料を塗ることで熱干渉を和らげることができるが、図では省略する。
【０１５３】
なお、凸部の形状や双方あるいは一方の組み合わせ、さらに断熱材の併用などの組み合わせは多様である。したがって、図が形や方法を限定するものではない。
【実施例１１】
【０１５４】
図５２のａないしみnに示す本発明を実施するための実施例１１において、前記本発明を実施するための実施例１の形態と主に異なる点は、熱伝導板とぺルチェ素子と放熱板の位置関係である。実施例１及び実施例２では熱伝導板を選る字型に折り曲げて折り曲げた部分の外側にぺルチェ素子を取り付けて放熱板を取り付けている。実施例９のａないしnは熱伝導板とぺルチェ素子と放熱板の多様な位置関係で構成されている。
【０１５５】
図５２のａないしｄは熱伝導板をＬ字型に上方に曲げたパターンである。ｂ・ｃは実施例1及び２の放熱板の位置が異なっている例である。猫用に高い場所にセットする場合で放熱板を上に伸ばす余裕が無いときに使用できる。ｄは内側にぺルチェ素子を取り付けるパターンである。ぺルチェ素子が犬や猫から隔離されるという利点がある。ちなみにａは実施例1のパターンである。
【０１５６】
ｅないしｉは熱伝導板を曲げないでぺルチェ素子を取り付けたパターンである。直接熱拡散する分効率が良い。但し犬や猫の汚れに弱点があるので、熱交換部のカバーなどの汚れ対策が必要である。
【０１５７】
Ｊ及びｋは熱伝導板の底中央付近にぺルチェ素子を取り付けた実施例である。放熱板は下方に伸ばす。猫が好む止まり木的高所の寝床に使用すると都合が良い。
【０１５８】
ｌ及びｍは、熱伝導板と放熱板の双方を折り合いよく曲げた実施例である。放熱板が熱伝導板から離れるので、特にｍは熱伝導板の面積を広く使うことができる利点がある。
【０１５９】
nは、熱伝導板と放熱板の双方を折り曲げない場合の実施例である。放熱板の上下にスペースが無い場合とか、縦にして使用する場合例えば水槽の水を冷やすなどの場合に利点がある。
【０１６０】
なお、図の様に、熱伝導板とぺルチェ素子と放熱板の取り付け方法や位置関係は極めて多様である。したがって、図がこれらを限定しない。
【実施例１２】
【０１６１】
図５３のｂないしｄに示す本発明を実施するための実施例１２において、前記本発明を実施するための実施例１の形態と主に異なる点は、ぺルチェ素子の数である。実施例１２のbないしdに示す熱伝導板は複数のぺルチェ素子を熱交換部に持つことで構成されている。ｂの熱伝導板は、一辺に２個のぺルチェ素子で構成されている。大型で幅の狭い熱伝導板に適した配置例である。ｃの熱伝導板は二辺に各１個のぺルチェ素子で構成されている。大型で正方形に近い熱伝導板に適した配置例である。ｄの熱伝導板は短辺に１個長辺に２個のぺルチェ素子で構成されている。より大型の熱伝導板に適している。ちなみにａの熱伝導板は実施例１である。
【０１６２】
なお、ａは実施例１及び実施例２のパターンである。実施例１２のｂのパターンについては、実施例１４で詳しく説明するがｃないしｄ及び次の実施例１３のａないしｄの詳細な実施図及び説明は省略する。
【実施例１３】
【０１６３】
図３４のａないしｄに示す本発明を実施するための実施例1３において、前記本発明を実施するための実施例１の形態と主に異なる点は、ぺルチェ素子の数及び取り付け位置である。実施例１３のａないしdに示す熱伝導板は、熱交換部を折り曲げない平板の状態にぺルチェ素子を１個あるいは複数個取り付けて構成されている。ａの熱伝導板は、平らな熱伝導板に１個のぺルチェ素子で構成されている。ｂの熱伝導板は平らな熱伝導板の一辺に２個のぺルチェ素子で構成されている。大型で幅の狭い熱伝導板に適した配置例である。
【０１６４】
ｃの熱伝導板は平らな熱伝導板の二辺に各１個のぺルチェ素子で構成されている。放熱板４も２枚になる。大型で正方形に近い熱伝導板に適した配置例である。ｄの熱伝導板は平らな熱伝導板の短辺に１個長辺に２個のぺルチェ素子で構成されている。放熱板が２枚になる。より大型の熱伝導板に適している。なお、実施例１２及び実施例１３で複数のぺルチェ素子を使用する例を説明しているが、図が二つ以上のぺルチェ素子の数を限定するものではない。
【実施例１４】
【０１６５】
図５５に示す本発明を実施するための実施例１４の形態において、前記本発明を実施するための最良の実施例１の形態と主に異なる点は、熱交換部を二つ備えていることであり、冷暖房装置本体１０は、二つの熱交換部５を持った熱伝導板２と二つのぺルチェ素子３と二つの熱交換部５を持った放熱板４とで構成されている。実施例１２のｂの配置パターンの具体例である。
【０１６６】
熱交換部５などの構造は実施例1と同様であり、実施例１４は、大型の犬用の冷暖房装置１に適している。
【実施例１５】
【０１６７】
図５６に示す本発明を実施するための実施例１５の形態において、前記本発明を実施するための実施例１の形態と主に異なる点は、熱交換部と放熱板にカバーを取り付けた点で、冷暖房装置本体１０Ｌと、合成樹脂製や金網製などで作りＬ字型アングル１１に固定したカバー４２とで構成されている。カバーは放熱板４の放熱を妨げず、できれば放熱を促進する形状であればなお良い。
【実施例１６】
【０１６８】
図５７に示す本発明を実施するための実施例１６の形態において、前記本発明を実施するための実施例１の形態と主に異なる点は、熱交換部と放熱板の熱伝導板側に柵を取り付けた点で、冷暖房装置本体１０と、Ｌ字型アングル１１の柵固定部６８で固定した柵６７とで構成されている。
【０１６９】
以下、図５８ないし図６６に示す本発明の請求項３について説明する。
【実施例１７】
【０１７０】
図５８ないし図６０に示す本発明を実施するため実施例１７の斜視図において、３０は本発明の冷暖房装置付き犬小屋であり、本発明の冷暖房装置と断熱台２９と犬小屋本体３３とで構成されている。
【０１７１】
図５８に示す本発明を実施するための実施例１７の冷暖房装置付き犬小屋の透視斜視図において、犬小屋３０の中の犬が寝そべる場所に、床３１の高さと一致するように熱伝導板２Ｃの面を合わせて、冷暖房装置本体１０Ｉを設置し、犬小屋本体３３の床全面を作る。
【０１７２】
冷暖房装置本体１０Ｉの熱交換部５と放熱板４Ｃを犬小屋３３の側板３２の外側に配置することで、駆動装置箱２０を犬から隔離することができる。
【０１７３】
図５９に示す図６０の５９−５９線に沿う断面図において、熱伝導板２Ｃを断熱台２９に載せる。断熱台２９は発泡スチロールや発泡ウレタンやグラスウールなどの建築用断熱材などでよい。熱交換部５Ｃと放熱板４Ｃは犬小屋本体３３の側板３２の外に出す。
【０１７４】
図６０に示す図５９の６０−６０線に沿う断面図において、熱伝導板２Ｃが、断熱台２９の上に載り、床３１と面が合っている構造を説明している。なお、床３１全面を熱伝導板にする必要がないのは図の通りであり、熱伝導板２Ｃの大きさは犬の大きさに合せる。
【０１７５】
なお、熱交換部５Ｃと放熱板４Ｃとは犬小屋３３の側面の外側に配置しても良く、図の犬小屋は例であり、形や形式を限定するものではない。
【実施例１８】
【０１７６】
以下、図６１ないし図６３に示す本発明の請求項３について説明する。
【０１７７】
図６１ないし図６３に示す本発明を実施するための実施例１８において、３５は本発明の冷暖房装置付き犬用サークルであり、冷暖房装置１Ｉと断熱台２９Ａと犬用サークル本体３７とで構成されている。
【０１７８】
図６１に示す本発明を実施するための実施例１８の冷暖房装置付き犬用サークルの斜視図において、犬用サークル本体３７の中の犬が寝そべる場所に、床３６の高さと一致するように熱伝導板２Ｃの面を合わせて、冷暖房装置本体１０Ｉを設置し、犬用サークル本体３７の床全面を作る。冷暖房装置本体１０Ｉの熱交換部５Ｃと放熱板４Ｃを犬用サークル本体３７の柵の外側に配置し、駆動装置箱２０は犬がいたずらできない場所に離す。
【０１７９】
図６２に示す図６３の６２−６２線に沿う断面図において、熱伝導板２Ｃを断熱台２９Ａに載せ床と高さを合せていることを説明している。断熱台２９Ａは特に犬が寝そべっていない時に冷暖房エネルギーの無駄を少なくする効果があり、発泡スチロールや発泡ウレタンやグラスウールなどの建築用断熱材などでよい。熱交換部５と放熱板４Ｂは犬用サークル本体３７の外に出ていることを説明している。
【０１８０】
図６３に示す図６２の６３−６３線に沿う断面図において、熱伝導板２を断熱台２９の上に載せて床３６と高さを合せることを説明している。なお、床３６全面を熱伝導板２Ｃにする必要がないのは図の通りであり、熱伝導板２Ｃの大きさは犬の大きさに合せると良い。
【０１８１】
なお、熱交換部５と放熱板４Ｃは犬用サークル本体の側面に出ていても良く、図がその場所を限定するものではない。また、図の犬用サークルは例であり、形や形式を限定するものではない。さらに、熱交換部５にはカバーをつけると汚れ対策になり良い。
【実施例１９】
【０１８２】
以下、図６４ないし図６６に示す本発明の請求項３について説明する。
【０１８３】
図６４ないし図６６に示す本発明を実施するための実施例１９において、５６は本発明の冷暖房装置付き猫用寝床であり、冷暖房装置本体１０と断熱台２９Ｂと猫用寝床本体５７とで構成されている。
【０１８４】
図６４に示す本発明を実施するための実施例１９の冷暖房装置付き猫寝床の斜視図において、放熱板４Ａには放熱板カバー５８を取り付けてある。放熱板カバー５８はＬ字型アングル１１Ａに取り付ける。図では隠れて見えないが断熱台２９Ｂの上に熱伝導板２Ａが載ってその上に猫寝床本体４１が載る。駆動装置箱２０は猫がいたずらできない場所に離す。
【０１８５】
図６５に示す図６６の６５−６５線に沿う断面図において、熱伝導板２Ａを断熱台２９Ｂに載せ、その上に猫寝床本体５７が載っている。
【０１８６】
図６６に示す図６５の６６−６６線に沿う断面図において、断熱台２９Ｂの上に載っている熱伝導板２Ａとその上に載っている猫寝床本体５７を説明している。
【実施例２０】
【０１８７】
以下、図６７ないし図６９に示す本発明の請求項３について説明する。
【０１８８】
図６７ないし図６９に示す本発明を実施するための実施例２０において、６１は本発明の冷暖房装置付き小動物用飼育ケースであり、冷暖房装置本体１０Ａと断熱台２９Ｃと小動物用飼育ケース本体６３とで構成されている。
【０１８９】
図６７に示す本発明を実施するための実施例２０の冷暖房装置付き小動物用飼育ケースにおいて、飼育ケース本体６３に熱伝導板挿入口６２を設け、熱伝導板２Ａをここから飼育ケース内に設置する。熱伝導板２Ａの下には断熱台２９Ｃを敷くと良い。
【０１９０】
図６８に示す図６９の６８−６８線に沿う断面図において、飼育ケース内に冷暖房部分とそうでない部分が出来て、飼育する小動物が冷暖房装置を使用するかしないかの選択ができることを説明している。また、飼育ケースと冷暖房装置の位置関係を説明している。
【０１９１】
図６９に示す図４５の６９−６９線に沿う断面図において、飼育ケース本体６３と、断熱台２９Ｃと、その上に載っている熱伝導板２Ａの位置関係を説明している。なお、飼育ケースは、合成樹脂やガラス製でも良いし柵でも良く図が飼育ケースの形状を限定しない。
【実施例２１】
【０１９２】
図７０に示す本発明を実施するための実施例２１の形態において、前記本発明を実施するための実施例１の形態と主に異なる点は、駆動装置を冷暖房装置本体に搭載して一体化した点である。駆動装置１９Ａを放熱板４Ａの背面に搭載している。
【実施例２２】
【０１９３】
図７１に示す本発明を実施するための実施例２２の形態において、前記本発明を実施するための実施例１の形態と主に異なる点は、駆動装置を冷暖房装置本体に搭載して一体化した点である。駆動装置１９Ａを放熱板４Ａの熱伝導板２Ａ背面に側に搭載している。
【産業上の利用可能性】
【０１９４】
ハムスターなどの小動物や犬や猫の冷暖房装置として広く使用できる。
【図面の簡単な説明】
【０１９５】
【図１】本発明を実施するための最良の形態の実施例１の斜視図。
【図２】本発明を実施するための最良の形態の実施例１の熱伝導板の斜視図。
【図３】本発明を実施するための最良の形態の実施例１の熱伝導板の平面図。
【図４】本発明を実施するための最良の形態の実施例１の放熱板の斜視図。
【図５】本発明を実施するための最良の形態の実施例１の放熱板の平面図。
【図６】本発明を実施するための最良の形態の実施例１の平面図。
【図７】図６の７−７線に沿う断面図。
【図８】図６の８−８線に沿う断面図。
【図９】図６の９−９線に沿う断面図。
【図１０】本発明を実施するための最良の形態の実施例１の使用状態１の断面図。
【図１１】本発明を実施するための最良の形態の実施例１の使用状態２の断面図。
【図１２】本発明を実施するための最良の形態の実施例１の使用状態３の断面図。
【図１３】本発明を実施するための最良の形態の実施例１の使用状態４の断面図。
【図１４】本発明を実施するための最良の形態の実施例１の使用状態５の断面図。
【図１５】本発明を実施するための実施例２の斜視図。
【図１６】本発明を実施するための実施例２の熱伝導板の斜視図。
【図１７】本発明を実施するための実施例２の熱伝導板の平面図。
【図１８】本発明を実施するための実施例２の熱伝導板の立面図。
【図１９】本発明を実施するための実施例２の放熱板の斜視図。
【図２０】本発明を実施するための実施例２の放熱板の立面図。
【図２１】本発明を実施するための最良の形態の実施例３の斜視図１。
【図２２】本発明を実施するための最良の形態の実施例３の斜視図２。
【図２３】本発明を実施するための最良の形態の実施例３の斜視図３。
【図２４】本発明を実施するための最良の形態の実施例３を分解した斜視図。
【図２５】本発明を実施するための最良の形態の実施例３の冷暖房装置本体の立面図。
【図２６】本発明を実施するための最良の形態の実施例３の冷暖房装置本体の平面図。
【図２７】本発明を実施するための最良の形態の実施例３の熱伝導板の立面図。
【図２８】本発明を実施するための最良の形態の実施例3の放熱板の立面図。
【図２９】図２５の２９−２９線に沿う断面図。
【図３０】図２５の３０−３０線に沿う断面図。
【図３１】図２５の３１−３１線に沿う断面図。
【図３２】本発明を実施するための最良の形態の実施例3の背面の斜視図。
【図３３】本発明を実施するための最良の形態の実施例3の電気回路図。
【図３４】本発明を実施するための実施例４の斜視図
【図３５】本発明を実施するための実施例４を分解した斜視図。
【図３６】本発明を実施するための実施例４の立面図。
【図３７】本発明を実施するための実施例４の熱伝導板を取り除いた場合の立面図。
【図３８】本発明を実施するための実施例４の平面図。
【図３９】図３６の３９−３９線に沿う断面図。
【図４０】図３６の４０−４０線に沿う断面図。
【図４１】図３６の４１−４１線に沿う断面図。
【図４２】本発明を実施するための実施例5の斜視図。
【図４３】本発明を実施するための実施例5の放熱板の斜視図。
【図４４】本発明を実施するための実施例６の斜視図。
【図４５】本発明を実施するための実施例６の放熱板の斜視図。
【図４６】本発明を実施するための実施例７の斜視図。
【図４７】本発明を実施するための実施例７の放熱板の斜視図。
【図４８】本発明を実施するための実施例８の斜視図。
【図４９】本発明を実施するための実施例８の放熱板の斜視図。
【図５０】本発明を実施するための実施例９の熱交換部の図。
【図５１】本発明を実施するための実施例１０の熱交換部の図。
【図５２】本発明を実施するための実施例１１のパターン図。
【図５３】本発明を実施するための実施例１２のパターン図。
【図５４】本発明を実施するための実施例１３のパターン図。
【図５５】本発明を実施するための実施例１４の斜視図。
【図５６】本発明を実施するための実施例１５の斜視図。
【図５７】本発明を実施するための実施例１６の斜視図。
【図５８】本発明を実施するための実施例１７の冷暖房装置付き犬小屋の透視斜視図。
【図５９】図６０の５９−５９線に沿う断面図
【図６０】図５９の６０−６０線に沿う断面図
【図６１】本発明を実施するための実施例１８の冷暖房装置付き犬用サークルの斜視図。
【図６２】図６３の６２−６２線に沿う断面図。
【図６３】図６２の６３−６３線に沿う断面図。
【図６４】本発明を実施するための実施例１９の冷暖房装置付き猫寝床の斜視図。
【図６５】図６６の６５−６５線に沿う断面図。
【図６６】図６５の６６−６６線に沿う断面図。
【図６７】本発明を実施するための実施例２０の透視斜視図。
【図６８】図６９の６８−６８線に沿う断面図。
【図６９】図６８の６９−６９線に沿う断面図。
【図７０】本発明を実施するための実施例２１の斜視図。
【図７１】本発明を実施するための実施例２２の斜視図。
【符号の説明】
【０１９６】
１、１Ａ、１Ｂ、１Ｃ、１Ｄ、１Ｅ、１Ｆ、１Ｇ、１Ｈ、１Ｉ、１J、１K、１L、１M、１N、１O、    冷暖房装置
２、２Ａ、２Ｂ、２Ｃ、２Ｄ、２Ｅ、２Ｆ、２Ｇ、２Ｈ、２Ｉ、２Ｊ、２Ｋ、２Ｌ、２Ｍ、２Ｎ、    熱伝導板                      
３    ぺルチェ素子
４、４Ａ、４Ｂ、４Ｃ、４Ｄ、４Ｅ、４Ｆ、４Ｇ、４Ｈ、４Ｉ、４Ｊ、４Ｋ、４Ｌ、４Ｍ、４Ｎ、４Ｏ、４Ｐ、    放熱板
５、５Ａ、５Ｂ、５Ｃ、５Ｄ、５Ｅ、５Ｆ、５Ｇ、５Ｈ、５Ｉ、５Ｊ、５Ｋ、５Ｌ、５Ｍ、５Ｎ、５Ｏ    熱交換部                  ６、６Ａ    断熱材
７    放熱板固定部                        ８、８Ａ    切り込み部
１２    筒                                １３    並べた筒
１４    空気の流れ                        １５    凸部
１６    盛り上げ部                        １７    一体盛り上げ部
１８    充填断熱材等                      １９    駆動装置
２０、２０Ａ    駆動装置箱                ２１    電源コード
２２    低電圧ＤＣコード                  ２３    冷暖房切替スイッチ
２４、２４Ａ    接続部                    ２５    ＤＣジャック
２６    ＤＣプラグ                        
２９、２９Ａ、２９Ｂ、２９Ｃ    断熱台
３０    冷暖房装置付き犬小屋              ３１    床
３２    側板                              ３３    犬小屋本体
３５    冷暖房装置付き犬用サークル        ３６    床
３７    犬用サークル本体                  ４０    飼育ケース
４１    巣穴                              ４２    巣箱
４３    強冷の床                          ４４    強冷の部屋
４５    中冷の床                          ４６    中冷の部屋
４７    弱冷の床                          ４８    弱冷の部屋
４９    冷えてない床                      ５０    冷えてない部屋
５３    断熱台                            ５４    保冷剤入り袋
５６    冷暖房装置付き猫寝床              ５７    猫寝床本体
５８    放熱板カバー                      ６１    冷暖房装置付き飼育ケース
６２    熱伝導板挿入口                    ６３    飼育ケース本体
６７    柵                                ６８    柵固定部
【図１】
2009291165.tif 000003
【図２】
2009291165.tif 000004
【図３】
2009291165.tif 000005
【図４】
2009291165.tif 000006
【図５】
2009291165.tif 000007
【図６】
2009291165.tif 000008
【図７】
2009291165.tif 000009
【図８】
2009291165.tif 000010
【図９】
2009291165.tif 000011
【図１０】
2009291165.tif 000012
【図１１】
2009291165.tif 000013
【図１２】
2009291165.tif 000014
【図１３】
2009291165.tif 000015
【図１４】
2009291165.tif 000016
【図１５】
2009291165.tif 000017
【図１６】
2009291165.tif 000018
【図１７】
2009291165.tif 000019
【図１８】
2009291165.tif 000020
【図１９】
2009291165.tif 000021
【図２０】
2009291165.tif 000022
【図２１】
2009291165.tif 000023
【図２２】
2009291165.tif 000024
【図２３】
2009291165.tif 000025
【図２４】
2009291165.tif 000026
【図２５】
2009291165.tif 000027
【図２６】
2009291165.tif 000028
【図２７】
2009291165.tif 000029
【図２８】
2009291165.tif 000030
【図２９】
2009291165.tif 000031
【図３０】
2009291165.tif 000032
【図３１】
2009291165.tif 000033
【図３２】
2009291165.tif 000034
【図３３】
2009291165.tif 000035
【図３４】
2009291165.tif 000036
【図３５】
2009291165.tif 000037
【図３６】
2009291165.tif 000038
【図３７】
2009291165.tif 000039
【図３８】
2009291165.tif 000040
【図３９】
2009291165.tif 000041
【図４０】
2009291165.tif 000042
【図４１】
2009291165.tif 000043
【図４２】
2009291165.tif 000044
【図４３】
2009291165.tif 000045
【図４４】
2009291165.tif 000046
【図４５】
2009291165.tif 000047
【図４６】
2009291165.tif 000048
【図４７】
2009291165.tif 000049
【図４８】
2009291165.tif 000050
【図４９】
2009291165.tif 000051
【図５０】
2009291165.tif 000052
【図５１】
2009291165.tif 000053
【図５２】
2009291165.tif 000054
【図５３】
2009291165.tif 000055
【図５４】
2009291165.tif 000056
【図５５】
2009291165.tif 000057
【図５６】
2009291165.tif 000058
【図５７】
2009291165.tif 000059
【図５８】
2009291165.tif 000060
【図５９】
2009291165.tif 000061
【図６０】
2009291165.tif 000062
【図６１】
2009291165.tif 000063
【図６２】
2009291165.tif 000064
【図６３】
2009291165.tif 000065
【図６４】
2009291165.tif 000066
【図６５】
2009291165.tif 000067
【図６６】
2009291165.tif 000068
【図６７】
2009291165.tif 000069
【図６８】
2009291165.tif 000070
【図６９】
2009291165.tif 000071
【図７０】
2009291165.tif 000072
【図７１】
2009291165.tif 000073